(57)【要約】      （修正有）【課題】現代の高齢化社会に随伴して頗る激増してきた寝たきり老人は勿論のこと、ヘルニア、腹部の手術後の患者、または妊娠出産後の患者が使用するＴ字帯の腰巻きテープの着脱が患者自身が簡易に行えるようにした患者用Ｔ字帯を提供する。【解決手段】患者用のＴ字帯の伸縮性を有する腰巻きテープに着脱器具、またはループを設けたり或いはリングを使用したりして、手術後の患者および出産前後の患者自身にて、腰巻きテープの着脱が頗る簡易に行えるようにした。【選択図】図１
0003110620.tif 000002
【実用新案登録請求の範囲】
【請求項１】
患者の股部を覆う布製の包帯に腰巻きテープを縫着してなる患者用Ｔ字帯に於いて、伸縮性を有する腰巻きテープの一方の先端部に複数個の突出杆部を突設してなる雄型着脱具を長さ調節用の止輪にて固着し、他方の腰巻きテープの端部には雌型着脱具を長さ調節用の止輪にて固着して、腰巻きテープの着脱を雄型着脱具と雌型着脱具からなる着脱器具にて患者自身が簡易に行えるようにしたことを特徴とした患者用Ｔ字帯。
【請求項２】
患者用Ｔ字帯の包帯に縫着した伸縮性を有する腰巻きテープの一端の側部を縫着して形成したループへ、先端部に雄面ファスナーを縫着した他端の腰巻きテープを挿入して雌面ファスナーに貼着してループを形成して、上記両ループにて腰巻きテープを装着できるようにしたことを特徴とする患者用Ｔ字帯。
【請求項３】
患者用Ｔ字帯の包帯に縫着した伸縮性を有する腰巻きテープの一方の先端をリングを固着して一体としたリングへ他方の腰巻きテープを挿渡して面ファスナーにて着脱自在に装着したことを特徴とする患者用Ｔ字帯。
【考案の詳細な説明】
【技術分野】
【０００１】
本考案は、患者用のＴ字帯に関し、さらに詳しくはＴ字帯の腰巻きテープを患者の腰部へ簡易に着脱できるようにしたことを特徴とする患者用Ｔ字帯に関するものである。
【背景技術】
【０００２】
従来、介護用のＴ字帯には種々のＴ字帯があり、この世に広く知られている。しかし、それらの介護用Ｔ字帯は生産性の向上や装着感を高めることなどが主眼とされ、被介護者自身でＴ字帯を腰部へ着脱することは決して容易なものであるとは言えなかった。
【０００３】
即ち、実開平７-３９８２４号公報に記載の褥瘡防止用マット及びＴ字帯は、Ｔ字帯の幅広の腰巻き帯を袋帯の中へ入れて締めるという構成になっており、手術後の患者や出産後の患者が一人で腰巻き帯を締めることは到底難渋するところである。
【０００４】
また、特開２０００-３７４１４の介護用等のＴ字帯は網目状編地２の帯体の両端に紐４を縫合し両脇で結ぶ構成になっているので、両脇で紐を結ばなければならない煩雑さは避けられなかった。
【特許文献１】実開実７‐３９８２４号公報
【特許文献２】特開２０００‐３７４１４号公報
【考案の開示】
【考案が解決しようとする課題】
【０００５】
上記従来の介護用のＴ字帯は、介護者が病臥中の被介護者に寝たままの状態にて着脱するものであった。したがって、被介護者自身でＴ字帯の腰巻き紐を着脱することは困難なものであった。
【０００６】
かかる従来の問題点を改善させるところに本考案が解決しようとする課題が存在する。
つまり、本考案は現代の高齢化社会に随伴して頗る激増してきた寝たきり老人は勿論のこと、ヘルニア、腹部の手術後の患者、または妊娠出産後の患者が使用するＴ字帯の腰巻きテープの着脱が患者自身が簡易に行えるようにした患者用Ｔ字帯を提供することにある。
【課題を解決するための手段】
【０００７】
本考案は、上記従来の課題を解決するためになされたものであって、その要旨とするところは、患者の股部を覆う布製の包帯に腰巻きテープを縫着してなる患者用Ｔ字帯に於いて、伸縮性を有する腰巻きテープの一方の先端部に複数本の突出杆部を突設してなる雄型着脱具を長さ調節用の止輪にて固着し、他方の腰巻きテープの端部には雌型着脱具を長さ調節用の止輪にて固着して、腰巻きテープの着脱を雄型着脱具と雌型着脱具からなる着脱器具にて患者自身が簡易に行えるようにしたことを特徴とした患者用Ｔ字帯、及び患者用Ｔ字帯の包帯に縫着した伸縮性を有する腰巻きテープの一端の側部を縫着して形成したループへ、先端部に雄面ファスナーを縫着した他端の腰巻きテープを挿入して雌面ファスナーに貼着してループを形成して、上記両ループにて腰巻きテープを装着できるようにしたことを特徴とする患者用Ｔ字帯、並びに患者用Ｔ字帯の包帯に縫着した伸縮性を有する腰巻きテープの一方の先端をリングを固着して一体としたリングへ他方の腰巻きテープを挿渡して面ファスナーにて着脱自在に装着したことを特徴とする患者用Ｔ字帯に関するものである。
【考案の効果】
【０００８】
本考案の患者用のＴ字帯は着脱器具を使用して腰巻きテープの着脱ができるようにした。つまり、手術後、出産後の患者自身にて腰巻きテープの着脱が簡易にできるようになった。
【０００９】
本考案は雄型着脱具の先端部に複数個の突出杆部を雌型着脱具へ着脱自在に構成したので、着脱が頗る安全確実にして軽快に行えるようになった。
【００１０】
本考案の患者用Ｔ字帯は１個または複数個のループのより面ファスナーを使用して腰巻きテープを着脱自在に装着できるので、患者への装着感が頗る良好となり、その心地良さは満点である。
【００１１】
本考案の患者用Ｔ字帯は複数個の半円弧状のリングを使用して面ファスナーにて腰巻きテープを着脱できるようにしたもので、患者が寝返りなどしても妄りに腰巻きテープが解ける虞はなくなった。
【考案を実施するための最良の形態】
【００１２】
以下本考案の患者用Ｔ字帯の実施例を別紙図面に基いて詳細に説明する。
【実施例１】
【００１３】
図１（ａ）（ｂ）は、本考案の患者用Ｔ字帯を腰巻きテープ２の両側部に雄型着脱具３及び雌型着脱具４を長さ調節用の止輪６、７にて夫々緊締固止して着脱器具Ａを使用して腰巻きテープ２の着脱を行う状態を現したものである。
【００１４】
即ち、図１（ａ）（ｂ）に於いて１は、患者の股部を覆う布製からなる包帯で、この包帯１に伸縮性を有する腰巻きテープ２が縫着されて患者用のＴ字帯が構成される。そして、該Ｔ字帯の腰巻きテープ２の両側部には図１（ａ）に示すように、雄型着脱具３および雌型着脱具４を夫々長さ調節用の止輪６、７にて緊締固止されている。５は雄型着脱具３の先端部に突設させた３本の突出杆部であって、この３本の突出杆部５を雌型着脱具４の窪部（図示せず）に、図１（ｂ）に示すように挿入して着脱自在に嵌着させる。そして包帯１の他端を腰巻きテープ２へ押込むことによって、手術後や、出産後の患者の腹部を被覆するものである。なお、Ｔ字帯が汚れて新たに替える時には、患者自身が雄型着脱具３を雌型着脱具４より脱離することにより、着脱器具Ａを容易に解放することができる。なお、以上は雄型着脱具に３本の突出杆部を設けて使用する場合を説明したが、図４に示すように突出杆部を２本設けて使用しても勿論良い。
【実施例２】
【００１５】
図２（ａ）（ｂ）は、本考案の患者用のＴ字帯の腰巻きテープ２にループ９、１２を形成して、伸縮性を有する腰巻きテープ２の着脱を容易にした場合を示すものである。
【００１６】
即ち、包帯１に逢着した腰巻きテープ２の一端の側部を縫着８してループ９を形成する。また、腰巻きテープ２の他端の端部に雄面ファスナー１０を縫着し、さらにその後方の腰巻きテープ２に雌面ファスナー１１を縫着させる。
【００１７】
そこで、図２ａに示すように腰巻きテープ２の一端の側部に形成したループ９へ、他端の腰巻きテープ２を挿通した後、雄面ファスナー１０を雌面ファスナー１１へ貼着してループ１２を形成させることにより、腰巻テープ２を患者の腰部へ巻き締めすることができる。なお、腰巻きテープ２を外す場合には、雄面ファスナー１０を雌面ファスナー１１から剥離することにより腰巻きテープ２を解放することができる。
【実施例３】
【００１８】
図３（ａ）（ｂ）は、本考案の患者用Ｔ字帯の腰巻きテープ２を２個の半円弧形のリング１３を使用して緊締固止する状態を示したものである。
【００１９】
所謂、包帯１に縫着した伸縮性を有する腰巻きテープ２の一端の側部に２個の半円弧状ののリングが固着されて一体となったリング１３を挿通したのち、腰巻きテープ２の端部を縫着８してループ９中へリング１３を係止させる。そこで、腰巻きテープ２の他端を図３（ａ）に示すように、リング１３中へ挿通したのち、図３（ｃ）に示すように腰巻きテープ２を２個リング１３へ掛け廻しして締付けしながら、腰巻きテープ２の先端部に縫着した雄面ファスナー１０を雌面ファスナー１１へ貼着して腰巻きテープ２を緊締固止させる。しかして、腰巻きテープ２を解離させる場合には、雄面ファスナー１０を雌面ファスナー１１より剥離して、２個リング１３から外せば、腰巻きテープ２を解放させることが容易にできる。以上は、リング１３を２個使用する場合を説明したが、リング１３は１個使用しても勿論良い。
【産業上の利用可能性】
【００２０】
本考案の患者用Ｔ字帯は腰巻きテープの着脱の利便性と、ループの形成による装着感の向上並びに着脱器具および半円弧状リングの使用により妄りに外れない安全堅牢性など実用上多大な優秀性、有益性を備えた考案ゆえ、病院施設に入院中の手術後、出産後の患者用Ｔ字帯として利用され、社会福祉に寄与、貢献するところ誠に大である。
【図面の簡単な説明】
【００２１】
【図１】（ａ）本考案の実施例１の患者用Ｔ字帯の腰巻きテープに取付した着脱器具を左右に解放した状態を示す斜視図である。（ｂ）本考案の実施例１の患者用Ｔ字帯の腰巻きテープに取付した着脱器具を嵌着した状態を示す正面から眺めた斜視図である。
【図２】（ａ）本考案の実施例２の患者用Ｔ字帯の腰巻きテープの一方を他方のテープのループに挿入した状態を示す正面から眺めた斜視図である。（ｂ）本考案の実施例２の患者用Ｔ字帯の腰巻きテープの一方を他方のテープのループへ面ファスナーにて装着した状態を示す正面から眺めた斜視図である。
【図３】（ａ）本考案の実施例３の患者用Ｔ字帯の腰巻きテープの一端を他端のテープのループに取付したリングに挿入した状態を示す正面から眺めた斜視図である。（ｂ）本考案の実施例３の患者用Ｔ字帯の腰巻きテープの一端を他端のテープのループに取付したリングに面ファスナーにて装着した状態を示す正面から眺めた斜視図である。（ｃ）図３ｂの要部の拡大横断参考説明図である。
【図４】雄型着脱具にて２本の突出杆部を設けて、雄型着脱具へ着脱する状態を示す参考説明図である。
【符号の説明】
【００２２】
１      包帯
２      腰巻きテープ
３      雄型着脱具
４      雌型着脱具
５      突出杆部
６      止輪
７      止輪
８      縫着
９      ループ
１０    雄面ファスナー
１１    雌面ファスナー
１２    ループ
１３    リング
Ａ      着脱器具
【図１】
0003110620.tif 000003
【図２】
0003110620.tif 000004
【図３】
0003110620.tif 000005
【図４】
0003110620.tif 000006